(57)【要約】      （修正有）【課題】無線通信システムにおけるビームファインディングを改善する方法及び装置を提供する。【解決手段】本方法は、基地局があるビーム上のＵＥからの最初のプリアンブル送信を受信するステップと、基地局がＵＥとの通信に使用できる他のビームがあるかどうかを検出するために追加の送信を検査するステップと、基地局が基準が満足する場合に、前記ＵＥのビームセットは、前記ＵＥが前記基地局と通信できるビームを含み完全であるとみなすステップを有する。【選択図】図１０
2016140068.tif 000002
【特許請求の範囲】
【請求項１】
基地局の方法であって、
前記基地局はＵＥ（ユーザ装置)からの第１のプリアンブル送信をあるビーム上で検出するステップと、
前記基地局は前記ＵＥと通信するために使用できる他のビームがあるかどうか検出するために追加の送信を検査するステップと、
前記基地局はある基準が満足される場合に前記ＵＥのビームセットは前記ＵＥが前記基地局と通信できるビームを含み完全であるとみなすステップと、
を備える方法。
【請求項２】
前記基地局は、前記ＵＥのすべての認定ビームが検出されたとき前記ＵＥのビームセットは完全であるとみなす、請求項１記載の方法。
【請求項３】
前記基準は追加の送信の総数に基づいている、請求項１記載の方法。
【請求項４】
前記基準は新たな認定ビームが検出された後の追加の送信の数に基づいている、請求項１記載の方法。
【請求項５】
前記基準は前記第１のプリアンブルの送信電力と追加の送信の送信電力との電力差に基づいている、請求項１記載の方法。
【請求項６】
前記基準は追加の送信から新たに検出されるビームの品質に基づいている、請求項１記載の方法。
【請求項７】
前記基準は新たに検出されたビームの強度と最強ビームの強度との差が一定値に達するかどうかに基づいている、請求項１記載の方法。
【請求項８】
前記基準は新たに検出されたビームが閾値を超える品質を有するかどうかに基づいている、請求項１記載の方法。
【請求項９】
ＵＥ（ユーザ装置）の方法であって、
前記ＵＥはランダムアクセス（ＲＡ）手順中にプリアンブルを送信するステップと、
前記ＵＥはあるビーム上の前記送信プリアンブルを検出した基地局からのＲＡＲ（ランダムアクセス応答）を受信するステップと、
前記ＵＥは前記基地局からの前記ＲＡＲの受信後に数回の追加の送信を実行するステップと、
を備える方法。
【請求項１０】
前記追加の送信の数は固定又は設定可能である、請求項９記載の方法。
【請求項１１】
前記追加の送信は前記基地局からのシグナリングにより又は前記基地局からの別のＲＡＲにより終了される、請求項９記載の方法。
【請求項１２】
ＵＥ（ユーザ装置）の方法であって、
前記ＵＥはランダムアクセス（ＲＡ）手順中に第１のプリアンブルを送信するステップと、
前記ＵＥはあるビーム上の前記第１のプリアンブルを検出した基地局からの前記第１のプリアンブル送信の検出応答であるＲＡＲ（ランダムアクセス応答）を受信するステップと、
前記ＵＥは前記ＲＡＲに応答して第２のプリアンブルを送信し、前記第２のプリアンブル送信の電力は前記第１のプリアンブル送信の電力に電力オフセットを加えたものとするステップと、
備える方法。
【請求項１３】
前記電力オフセットはランピングステップと相違する、請求項１２記載の方法。
【請求項１４】
ＵＥ（ユーザ装置）の方法であって、
前記ＵＥはランダムアクセス（ＲＡ）手順中に第１のプリアンブル送信を送信するステップと、
前記ＵＥはあるビーム上の前記第１のプリアンブルを検出した基地局からの前記第１のプリアンブル送信の検出応答であるＲＡＲ（ランダムアクセス応答）を受信するステップと、
前記ＵＥは前記ＲＡＲに続く信号の送信のための送信電力を導出するステップと、
を含む方法。
【請求項１５】
前記ＵＥは、電力オフセットが設定される場合、前記電力オフセットを前記導出した送信電力に加える、請求項１４記載の方法。
【請求項１６】
前記信号が一定回数送信された場合に前記電力オフセットを前記導出した送信電力から削減する、請求項１５記載の方法。
【請求項１７】
前記ＵＥが前記導出した送信電力を減らすべきという基地局からの指示を受信する場合に、前記電力オフセットを前記導出した送信電力から削減する、請求項１５記載の方法。
【請求項１８】
前記電力オフセットは、ビーム検出又はビーム追跡のための送信に適用され、データ送信に適用されない、請求項１５記載の方法。
【請求項１９】
前記ＵＥは前記ＲＡＲに含まれるランピングステップ情報に基づいて送信電力を導出し、前記ランピングステップ情報は前記送信電力を導出するために削減すべきランピングステップの数を含む、請求項１４記載の方法。
【請求項２０】
更に、前記ＵＥは前記ＲＡＲ内の２つの異なるＴＣＰ（送信電力制御）コマンドレンジで設定され、
前記ＵＥは前記設定されたＴＰＣコマンドレンジを適用して前記ＲＡＲの受信に続く信号の送信のための送信電力を導出する、請求項１４記載の方法。
【請求項２１】
前記異なるＴＣＰコマンドレンジはＲＡ手順の種々の実行目的のために設定される、請求項２０記載の方法。
【発明の詳細な説明】
【技術分野】
【０００１】
関連出願の相互参照
本発明は、２０１５年１月２６日に出願された米国仮特許出願第６２／１０７，９３７号及び２０１５年１月２６日に出願された米国特許出願第６２／１０７，９４５号の優先権の利益を主張するものであり、それらの全開時内容は参照することにより本明細書に組み込まれる。
【０００２】
本発明は、概して無線通信ネットワークに関し、より詳しくは無線通信システムにおけるビーム検出を改善する方法及び装置に関する。
【背景技術】
【０００３】
モバイル通信装置間での多量のデータ通信の需要の急増に伴い、従来のモバイル音声通信ネットワークは、インターネットプロトコル（ＩＰ）データパケットで通信するネットワークへ進化している。このようなＩＰデータパケット通信はモバイル通信装置のユーザに、ボイスオーバＩＰ、マルチメディア、マルチキャスト及びオンデマンド通信サービスを提供することができる。
【０００４】
標準化が現在行われている代表的なネットワーク構造は進化型ユニバーサル地上波無線アクセスネットワーク（Ｅ−ＵＴＲＡＮ）である。Ｅ−ＵＴＲＡＮシステムは高いデータスループットを提供し、上述したボイスオーバＩＰサービス及びマルチメディアサービスを実現することができる。Ｅ−ＵＴＲＡＮの標準化作業は現在３ＧＰＰ標準化機構で行われている。従って、３ＧＰＰ標準を進化させ、完成させるために、現行の３ＧＰＰ標準への変更が現在提示され、検討されている。
【０００５】
更に、ＥＵは５Ｇ次世代移動体無線通信システムの基礎を構築するために２０１２年１１月にＭＥＴＩＳプロジェクトを開始させた。主な技術的目的（又は５Ｇ要件）は以下の通りである。
・  単位面積当たり１０００倍以上のモバイルデータ量
・  １０〜１００倍以上の接続機器数
・  １０〜１００倍以上のユーザデータ速度
・  低電力マッシブマシン通信（ＭＭＣ）のための１０倍以上の電池寿命
・  ５分の１以下のエンドツーエンドレイテンシー（＜５ｍｍｓ）
【０００６】
上記の要件は、レガシーシステムで提供し得るシステム容量より大幅に高いシステム容量を要求すること明らかである。従って、新しい無線アクセス技術はこれらの要件を満たすことが期待される。
【発明の概要】
【０００７】
無線通信システムにおけるビームファインディングを改善する方法及び装置が開示される。一実施形態では、本方法は、基地局があるビームでＵＥからの最初のプリアンブル送信を受信するステップを含む。本方法は、基地局がＵＥとの通信に使用できる他のビームがあるかどうかを検出するために追加の送信を検査するステップを含む。本方法は更に、基地局が、ある基準が満足される場合に前記ＵＥのビームセットは前記ＵＥが前記基地局と通信できるビームを含み完全であるとみなすステップを含む。
【図面の簡単な説明】
【０００８】
【図１】一つの例示的な実施形態による無線通信システムの概略図である。
【図２】一つの例示的な実施形態による送信機システム（アクセスネットワークとしても知られている）及び受信機システム（ユーザ装置又はＵＥとしても知られている）のブロック図である。
【図３】一つの例示的な実施形態による通信システムの機能ブロック図である。
【図４】一つの例示的な実施形態による図３のプログラムコードの機能ブロック図である。
【図５】コンテンションベースのランダムアクセス手順を示す。
【図６】コンテンションフリーベースのランダムアクセス手順を示す。
【図７】ＵＥのビームセットが完全であるかどうか又はビーム検出手順が終了したかどうかを決定する一つの例示的な実施形態による第１の戦略を示す。
【図８】ＵＥのビームセットが完全であるかどうか又はビーム検出手順が終了したかどうかを決定する一つの例示的な実施形態による第２の戦略を示す。
【図９】ＵＥのビームセットが完全であるかどうか又はビーム検出手順が終了したかどうかを決定する一つの例示的な実施形態による第３の戦略を示す。
【図１０】一つの例示的な実施形態によるフロー図である。
【図１１】一つの例示的な実施形態によるフロー図である。
【図１２】一つの例示的な実施形態によるフロー図である。
【図１３】一つの例示的な実施形態によるフロー図である。
【発明を実施するための形態】
【０００９】
以下に記載する例示的な無線通信システム及び装置は無線通信システムを利用し、放送サービスをサポートする。無線通信システムは、音声、データなどの種々の通信を提供するために広く展開されている。これらのシステムは、符号分割多元接続（ＣＤＭＡ）、時分割多元接続（ＴＤＭＡ）、直交周波数分割多元接続（ＯＦＤＭＡ）、３ＧＰＰ  ＬＴＥ（Long Term Evolution）無線アクセス、３ＧＰＰ  ＬＴＥ−Ａ又はＬＴＥ−Advanced（Long Term Evolution Advanced）、３ＧＰＰ２  ＵＭＢ（Ultra Mobile Broadband）、ＷｉＭａｘ、又はいくつかの他の変調技術に基づくものとし得る。
【００１０】
特に、以下に記載する例示的な無線通信システム／装置は、ドコモ５Ｇホワイトペーパー（ＮＴＴドコモ；２０１４年７月）などの様々な文書で検討されている無線技術をサポートするように設計することができる。更に、以下に記載する例示的な無線通信システム／装置は、「第３世代パートナーシッププロジェクト」（ここでは３ＧＰＰと表記する）という名称の団体により提供される標準、例えば：3GPP R2-145410, ”Introduction of Dual Connectivity”; 3GPP TS36.321 Vl2.3.0，”E-UTRAN MAC Protocol Specification”；3GPP TS36.300 Vl2.3.0, “E-UTRAN RRC protocol description”; 3GPP TS36.300 V2.3.0, “E-UTRAN and E-UTRAN overall description”：の一つ以上の標準をサポートするように設計することができる。上記の標準及び文書は参照することによりそれらの全内容が明示的に本明細書に組み込まれる。
【００１１】
図１は本発明の一実施形態によるマルチアクセス無線通信システムを示す。アクセスネットワーク（ＡＮ）１００は複数のアンテナ群を含み、一つの群はアンテナ１０４及び１０６を含み、もう一つの群はアンテナ１０８及び１１０を含み、追加の群はアンテナ１１２及び１１４を含む。図１において、各アンテナ群につき２つのアンテナのみを示すが、もっと多数又は少数のアンテナを各アンテナ群に使用してもよい。アクセス端末（ＡＴ）１１６はアンテナ１１２及び１１４と通信状態にあり、アンテナ１１２及び１１４は情報をアクセス端末１１６へ順方向リンク１２０を介して送信し、アクセス端末１１６からの情報を逆方向リンク１１８を介して受信する。アクセス端末（ＡＴ）１２２はアンテナ１０６及び１０８と通信状態にあり、アンテナ１０６及び１０８は情報をアクセス端末（ＡＴ）１２２へ順方向リンク１２６を介して送信し、アクセス端末（ＡＴ）１２２からの情報を逆方向リンク１２４を介して受信する。ＦＤＤシステムでは、通信リンク１１８，１２０，１２４及び１２６は通信のために異なる周波数を使用することができる。例えば、順方向リンク１２０は逆方向リンク１１８で使用される周波数と異なる周波数を使用することができる。
【００１２】
各群のアンテナ及び／又はそれらのアンテナが通信するように設計されたエリアはしばしばアクセスネットワークのセクタと呼ばれている。本実施形態では、各アンテナ群はアクセスネットワーク１００によりカバーされるエリアの１つのセクタ内のアクセス端末と通信するように設計される。
【００１３】
順方向リンク１２０及び１２６を経由する通信において、アクセスネットワーク１００の送信アンテナは、異なるアクセス端末１１６及び１２２の順方向リンクの信号対雑音比を向上させるために、ビームフォーミング技術を利用することができる。また、そのカバレッジエリア中にランダムに散在するアクセス端子への送信のためにビームフォーミング技術を利用するアクセスネットワークは、単一のアンテナでその全アクセス端末へ送信するアクセスネットワークよりも、隣接するセル内の端末への干渉を起こしにくい。
【００１４】
アクセスネットワーク（ＡＮ）は端末と通信するために使用する固定局又は基地局とすることができ、アクセスポイント、ノードＢ、基地局、エンハンスト基地局、エボルブドノードＢ（ｅＮＢ）等とも称されている。アクセス端末（ＡＴ）はユーザ装置（ＵＥ）、無線通信装置、アクセス端末等とも称されている。
【００１５】
図２は、ＭＩＭＯシステム２００内の送信機システム２１０（アクセスネットワークとしても知られる）と、受信機システム２５０（アクセス端末（ＡＴ）又はユーザ装置（ＵＥ）としても知られる）の例示的な実施形態を示す簡略ブロック図である。送信機システム２１０において、複数のデータストリームのトラヒックデータがデータソース２１２から送信（ＴＸ）データプロセッサ２１４に供給される。
【００１６】
一実施形態では、各データストリームはそれぞれの送信アンテナで送信することができる。ＴＸデータプロセッサ２１４は、各データストリームのトラヒックデータを当該データストリームに対して選択された特定の符号化方式に基づいてフォーマット化し、符号化し、インターリーブして符号化データを提供することができる。
【００１７】
各データストリームの符号化データはＯＦＤＭ技術を用いてパイロットデータと多重化することができる。パイロットデータは典型的には周知の方法で処理された周知のデータパターンであり、受信システムでチャネル応答を評価するために使用することができる。各データストリームの多重化されたパイロット及び符号データはその後当該データストリームに対して選択された特定の変調方式（例えば、ＢＰＳＫ，ＱＰＳＫ，Ｍ−ＰＳＫ又はＭ−ＱＡＭ）に基づいて変調されて変調シンボルを提供する。各データストリームのデータレート、符号化及び変調はプロセッサ２３０で実行される命令により決定することができる。
【００１８】
すべてのデータストリームの変調シンボルはその後ＴＸ  ＭＩＭＯプロセッサ２２０へ送信され、このプロセッサは変調シンボルを（例えばＯＦＤＭのために）更に処理することができる。ＴＸ  ＭＩＭＯプロセッサ２２０はその後ＮＴ個の変調シンボルストリームをＮＴ個の送信機（ＴＭＴＲ）２２２ａ〜２２２ｔに供給する。特定の実施形態によれば、ＴＸ  ＭＩＭＯプロセッサ２２０はデータストリームのシンボル及びそのシンボルを送信するアンテナにビームフォーミング重みを供給する。
【００１９】
各送信機２２２はそれぞれのシンボルストリームを受信し処理して１以上のアナログ信号を提供し、更にアナログ信号を調整、即ち増幅し、フィルタ処理し、又はアップコンバートしてＭＩＭＯチャネルでの送信に適した変調信号を提供する。送信機２２２ａ〜２２２ｔからのＮＴ個の変調信号はその後それぞれＮＴ個のアンテナ２２４ａ〜２２４ｔから送信される。
【００２０】
受信機システム２５０において、送信されてきた変調信号はＮＲアンテナ２５２ａ〜２５２ｒにより受信され、各アンテナ２５２からの受信信号はそれぞれの受信機（ＲＣＶＲ）２５４ａ〜２５４ｒに供給される。各受信機２５４は、それぞれの受信信号を調整、即ちフィルタ処理し、増幅し、ダウンコンバートし、調整した信号をディジタル化してサンプルを提供し、更にサンプルを処理して対応する「受信」シンボルストリームを提供する。
【００２１】
ＲＸデータプロセッサ２６０は、ＮＲ個の受信機２５４からのＮＲ個の受信シンボルストリームを受信し、特定の受信処理技術に基づいて処理してＮＴ個の「検出」シンボルストリームを提供する。ＲＸデータプロセッサ２６０はその後各検出シンボルストリームを復調し、デインターリーブし、復号してデータストリームのトラヒックデータを復元する。ＲＸデータプロセッサ２６０による処理は送信機システム２１０内のＴＸ  ＭＩＭＯプロセッサ２２０及びＴＸデータプロセッサ２１４により実行される処理と相補的である。
【００２２】
プロセッサ２７０は、以下に述べるように、どのプリコーディング行列を使用するかを周期的に決定する。プロセッサ２７０は行列インデックス部分とランク値部分を含むリバースリンクメッセージを形成することができる。
【００２３】
リバースリンクメッセージは通信リンク及び／又は受信データストリームに関する種々の情報を含むことができる。リバースリンクメッセージはその後ＴＸデータプロセッサ２３８により処理され、このプロセッサはデータソース２３６からの複数のデータストリームのトラヒックデータも受信し、送信機２５４ａ〜２５４ｒにより調整され、送信機システム２１０に返送される。
【００２４】
送信機システム２１０において、受信機システム２５０からの変調信号もアンテナ２２４により受信され、受信機２２２により調整され、復調器２４０により復調され、ＲＸデータプロセッサ２４２により処理される。プロセッサ２３０はその後、ビームフォーミング重みの決定のためにどのプリコーディング行列を使用するかを決定し、その後抽出したメッセージを処理する。
【００２５】
図３につき説明すると、この図は本発明の一実施形態による通信装置の簡略機能ブロック図を示す。図３に示すように、無線通信システム内の通信装置３００は図１のＵＥ（またはＡＴ）１１６及び１２２を実現するために使用することができ、本無線通信システムはＬＴＥシステムとすることができる。本通信装置３００は入力装置３０２、出力装置３０４、制御回路３０６、中央処理装置（ＣＰＵ）３０８、メモリ３１０、プログラムコード３１２、及びトランシーバ３１４を含むことができる。制御回路３０６はメモリ３１０内のプログラムコード３１２をＣＰＵ３０８により実行して、通信装置３００の動作を制御する。通信装置３００はキーボード又はキーパッド等の入力装置３０２を介してユーザにより入力される信号を受信し、モニタ又はスピーカ等の出力装置３０４を介して出力画像及び音声を出力し得る。トランシーバ３１４は無線信号を受信及び送信するために使用され、受信した信号を制御回路３０６に送り、制御回路３０６により発生された信号を送出する。無線通信システム内の通信装置３００は図１のＡＮ１００を実現するために使用することもできる。
【００２６】
図４は、本発明の一実施形態による、図３に示すプログラムコード３１２の簡略ブロック図を示す。この実施形態では、プログラムコード３１２はアプリケーション層４００、層３部分４０２、及び層２部分４０４を含み、層１部分４０６に結合される。層３部分４０２は一般に無線リソース制御を実行する。層２部分４０４は一般にリンク制御を実行する。層１部分４０６は一般に物理的接続を実行する。
【００２７】
ドコモ５Ｇホワイトペーパーは、低周波数帯と高周波数帯を効率良く統合するという５Ｇ無線アクセスコンセプトを紹介している。高周波数帯はより広いスペクトルの機会をもたらすが、高いパスロスのためにカバレッジ制限を有するため、５Ｇシステムはカバレッジ層（例えば、マクロセルからなる）とキャパシティ層（例えば、スモールセル又はファントムセルからなる）とからなる２層構造とすることが提案されている。カバレッジ層は基本的なカバレッジ及びモビリティを提供するために既存の低周波数帯を使用する。キャパシティ層は高速データ伝送を提供するために新しい高周波数帯を使用する。カバレッジ層はエンハンストＬＴＥＲＡＴ（Long Term Evolution Radio Access Technology）でサポートすることができるが、キャパシティ層は高周波数帯専用の新ＲＡＴでサポートすることができる。更に、カバレッジ層とキャパシティ層の統合はエンハンストＬＴＥＲＡＴと新ＲＡＴとの緻密な連携（例えば、デュアルコネクティビティ）により可能になる。
【００２８】
デュアルコネクティビティは、３ＧＰＰ  Ｒ２−１４５４１０で検討されているように、ＲＲＣ＿ＣＯＮＮＥＣＴＥＤ（ＲＲＣ接続）中におけるＵＥ（ユーザ装置）の一動作モードで、マスタセル群とセカンダリセル群とで構成される。マスタセル群はＭｅＮＢ（マスタエボルブドノードＢ）と関連するサービングセルの群で、ＰＣｅｌｌ（プライマリセル）と任意選択の一つ以上のＳＣｅｌｌ（セカンダリセル）とからなり、セカンダリセル群は、ＳｅＮＢ（セカンダリエボルブドノードＢ）と関連するサービングセルの群で、ＳｐＣｅｌｌ（スペシャルセル）と任意選択の一つ以上のＳＣｅｌｌ（セカンダリセル）とからなる。デュアルコネクティビティ構成とされるＵＥは一般に、そのＵＥは２つの異なるスケジューラで提供され且つＸ２インタフェースで理想的でない帰路を介して接続される２つのｅＮＢ（ＭｅＮＢ及びＳｅＮＢ）内に位置する無線リソースを利用するように構成されることを意味する。更に、ＣプレーンメッセージはＭｅＮＢを介して通信される。デュアルコネクティビティの更なる詳細は３ＧＰＰ  Ｒ２−１４５４１０を参照することができる。
【００２９】
デュアルコネクティビティにおいて、ＳＣＧ（セカンダリセルグループ）追加／変更時（もし命令されれば）に、ランダムアクセス手順を要求するＲＲＣ＿ＣＯＮＮＥＣＴＥＤ中におけるＤＬ（ダウンリンク）データの到来時（例えば，ＵＬ（アップリンク）同期状態が非同期であるとき）に、又はランダムアクセス手順を要求するＲＲＣ＿ＣＯＮＮＥＣＴＥＤ中におけるＵＬデータの到来時（例えば，ＵＬ同期状態が非同期であるとき又は利用可能なＳＲ（スケジューリング要求）のためのリソースがないとき）に、ランダムアクセス（ＲＡ）手順を実行することができる。ＵＥにより開始されるランダムアクセスはＳＣＧに対してＰＳＣｅｌｌでのみ実行される。
【００３０】
２つの異なるタイプのＲＡ手順、即ちコンテンション（競合）ベースのＲＡとコンテンションフリー（非競合）のＲＡ、がある。コンテンションベースのＲＡ手順は図５に示され、次の４つのステップを含む。
１．ランダムアクセスプリアンブルがＵＥによりＲＡＣＨ（ランダムアクセスチャネル）で送信され、ＰＲＡＣＨ（物理ランダムアクセスチャネル）にマッピングされ、
２．ランダムアクセス応答がｅＮＢからＤＬ−ＳＣＨ（ダウンリンク共有チャネル）で受信され、ＰＤＳＣＨ（物理アップリンク共有チャネル）にマッピングされ、
３．スケジューリングされた送信がＵＥによりＵＬ−ＳＣＨ（アップリンク共有チャネル）で送信され、ＰＵＳＣＨ（物理アップリンク共有チャネル）にマッピングされ、
４．競合解決がｅＮＢからＰＤＣＣＨ（物理ダウンリンク接続チャネル）又はＤＬ−ＳＣＨでＵＥにより受信され、ＰＤＳＣＨにマッピングされる。
【００３１】
コンテンションフリーのＲＡ手順は図６に示され、次の３つのステップを含む。
１．ランダムアクセスプリアンブル割当がｅＮＢ（エボルブドノードＢ）から受信され、
２．ランダムアクセスプリアンブルがＵＥによりＵＬ−ＳＣＨ（アップリンク共有チャネル）で送信され、ＰＵＳＣＨにマッピングされ、
３．ランダムアクセス応答がｅＮＢからＤＬ−ＳＣＨ（ダウンリンク共有チャネル）で受信され、ＰＤＳＣＨにマッピングされる。
【００３２】
ＲＡプリアンブルの送信後に、ＵＥは、サブフレーム（又はＴＴＩ（送信タイムインターバル）で開始するＲＡ応答ウィンドウ内にｅＮＢ（即ち基地局）からのＲＡ応答があるかどうかＰＤＣＣＨを監視する（ＴＴＩは、３ＧＰＰ  ＴＳ３６．３２１  Ｖ１２．３．０に記載されているようにプリアンブル送信の終了から３つの追加のサブフレームを含み、長さRA-Response Window Sizeのサブフレームを有する）。ＵＥがｅＮＢからの正当なＲＡ応答をＲＡ応答ウィンドウ内に受信しない場合には、ＵＥはＲＡプリアンブルの再送信を、正当なＲＡ応答が受信されるまで又は最大再送信回数に達するまで、行う。従って、ＲＡ手順を完了するには２回以上の実行を要するかもしれない。ＲＡ手順の詳細は３ＧＰＰ  Ｒ２−１４５４１０及びＴＳ３６．３２１  Ｖ１２．３．０を参照されたい。
【００３３】
更に、３ＧＰＰ  ＴＳ３６．３２１  Ｖ１２．３．０で検討されているように、ランダムアクセス手順の電力制御がロバスト性及び効率の向上のために適切に定義されている。プリアンブル試行がなかなか成功しない場合には、プリアンブルの電力は試行ごとに増加させる（パワーランピングとしても知られている）。更に、プリアンブル試行が成功すると、そのプリアンブル試行の電力レベルが次のアップリンク送信（例えばＰＵＳＣＨ，ＰＵＣＣＨ又はリファレンス信号）の電力を得るために使用される。この点の詳細は３ＧＰＰ  ＴＳ３６．３２１  Ｖ１２．３．０を参照されたい。
【００３４】
更に、キャパシティ層上のセルはビームフォーミングを使用することができる。概して、ビームフォーミングは指向性信号送信又は受信のためにアンテナアレイで使用される信号処理技術である。これは、特定の角度の信号は建設的干渉を受けるが他の信号は相殺的干渉を受けるようにフェーズドアレイの要素を組み合わせることによって達成される。ビームフォーミングは空間選択性を達成するために送信側及び受信側で使用することができる。無指向性送信／受信と比較して、受信／送信利得の向上が得られることが知られている。
【００３５】
ビームフォーミングはレーダシステムに適用されている。フェーズドアレイレーダにより生成されるビームは比較的細く、移動パラボラアンテナに比較して高度に機敏である。この特性は飛行機に加えて弾道ミサイルなどの小さな高速目標を検出する能力をレーダに与える。
【００３６】
同一チャネル干渉低減の利点のためにビームフォーミングはモバイル通信システムにおける魅力的な選択肢にもなり得る。例えば、ビームフォーミング技術に基づくビーム分割多元接続（ＢＤＭＡ）のコンセプトが利用されている。ＢＤＭＡでは、基地局は送信／受信利得を得るために細いビームでモバイル装置と通信することができる。加えて、異なるビーム内に位置する２つのモバイル装置は同じ時間に同じ無線リソースを共有することができ、従ってモバイル通信システムのキャパシティを大幅に増大することができる。これを達成するために、基地局は自局と通信できるＵＥがどのビーム内に位置するかを知る必要がある。
【００３７】
ＵＥのビームセットは一般に、ＵＥがそれらを通じて基地局と通信ができるビームである。ＢＤＭＡ（ビーム分割多元接続）の利点を十分に利用するためには、基地局はＵＥのビームセットを知らなければならない。ＵＥのビームセットを見つける一つの方法は、そのＵＥからのアップリンク送信を検出することにある。例えば、ＵＥがＲＡ手順を実行するとき、ｅＮＢはＵＥからの信号がどのビームで到着するかを知るためにＵＥからのプリアンブルを各ビーム上で検出することができる。ＵＥから信号を観察できるビームのすべてがＵＥのビームセットのビームとみなせるわけではない。また、役に立たない弱いビーム又は同ビーム上の他のＵＥへの干渉が無視し得る弱いビームは除去することができる。
【００３８】
その結果、あるビームをＵＥのビームセットとみなすかどうかの判断基準を決定することができる。例えば、ＵＥの最強ビームの信号強度より２０ｄＢ低い信号強度を有するビームは認定（qualified）ビームと見なされず、ＵＥのビームセットに含まれない。他方、ＵＥの最強ビームの信号強度より１５ｄＢ低い信号強度を有するビームは認定ビームと見なされ、ＵＥのビームセットに含まれる。言い換えれば、特定のビームをＵＥのビームセットに含めるべきかどうかを決定するために信号強度閾値を定めることができる。
【００３９】
基地局又はセルはハードウェア制限のためにすべての利用可能なビームを同時に利用することはできない。このようなハードウェア制限がある場合には、セルのすべてのビームをスキャンしてＵＥのビームセットを見つけるためにより多くの送信が必要とされる。一例として、あるセルは全部で９つのビームを有し、同時に３つのビームを発生（送信／受信）する。最初に、ビーム１，４及び７を発生することができる。次に、ビーム２，５及び８を発生する。最後に、ビーム３，６及び９を発生する。セルのすべてのビームをスキャンするためには、ＵＥは送信を３回の機会又は送信適時に行う必要がある。以下の議論／ソリューションはこのようなハードウェア制限がある場合にも、このようなハードウェア制限がない場合にも適用することができる。
【００４０】
基地局がＵＥからの一つのビーム上でプリアンブルを検出するとき、認定ビームが同じ試行内で検出されるとはかぎらない（例えば、所定のビームの不十分な電力又はチャネル状態のために）。場合によっては、セルが限定数のビームを発生するとき、セルの全ビームを発見しスキャンするために同じ電力レベルでの複数回のプリアンブル試行が必要とされ得る。更に、プリアンブル電力は試行ごとに増大するが、プリアンブルの現在電力レベルはあるビームの成功検出と他のビームの不成功検出をもたらし得る。例えば、強いビームは早く検出されるが資格のある弱いビームは検出されない。基地局は一般に、ビーム検出が終了したかしないかを判断又は決定するために戦略を必要とする。更に、ＵＥは基地局がこのような判断又は決定を行うのを支援する必要がある。
【００４１】
概して、ＵＥのビームセットが完全であるかどうか又はビーム検出手順が完了したかどうかを決定するために、以下の戦略を独立に又は連携して考察することができる。
【００４２】
戦略１：
ＵＥのプリアンブルが最先の試行においてビームのいずれかで検出されるとき（即ち、最初に成功したプリアンブル検出時）、ｅＮＢはビームセットが完全でないかも知れなくてもランダムアクセス手順を終了させるためにＲＡＲを送信する。ランダムアクセス手順後に、ＵＥはあるデータ又はリファレンス信号（ＲＳ）の送信を実行するが、ＵＥのビームセットはまだ決定されず、ＢＤＭＡは適用されない。ｅＮＢはその後データ／ＲＳ送信を検査し、プリアンブルが検出されなかった認定ビームがあるかどうか確認（又は決定）する。データ／ＲＳ送信はＲＡＲで又は他のシグナリングでトリガされ得る。データ／ＲＳ送信の数は固定又は設定可能にし得る。代わりに、シグナリングを用いてデータ／ＲＳ送信を終了させ、ビームセットを完成させ、その後名目上のデータ／ＲＳ送信を実行することができる。ｅＮＢがデータ／ＲＳ送信を検査し、ビームセットが完全であると見なす（又は決定する）と、ＢＤＭＡが適用可能になる。図７は戦略１の一例を示す。
【００４３】
戦略２：
ＵＥのプリアンブルがビームのいずれかで検出されるとき（即ち、最初に成功したプリアンブル検出時）、ｅＮＢは対応するＲＡＲを送信しない。代わりに、ｅＮＢは未検出の認定ビームがあるかどうかを見つけるためにプリアンブルの検出を続ける。ｅＮＢがビームセットは完全であると判断（又は決定）するとき、ｅＮＢはランダムアクセス手順を終了させるためにＲＡＲを送信することができる。その後ＢＤＭＡが適用可能になる。図８は戦略２の一例を示す。
【００４４】
戦略３：
ＵＥのプリアンブルが最先の試行においてビームのいずれかで検出されるとき（即ち、最初に成功したプリアンブル検出時）、ｅＮＢはビームセットが完全でないかも知れなくてもランダムアクセス手順を終了させるためにＲＡＲを送信する。ＵＥはその後いくつかの追加のプリアンブル送信を送信するが、ＵＥのビームセットはまだ決定されず、ＢＤＭＡは適用し得ない。追加のプリアンブル送信に基づいて、ｅＮＢはプリアンブルが検出されなかった認定ビームがあるかどうか確認（又は決定）することができる。プリアンブル送信は別のＲＡＲで終了させることができる。更に、プリアンブル送信の回数は固定又は設定可能にし得る。プリアンブル送信を検査した後、ｅＮＢはビームセットが完全であると見なすことができ、その後ＢＤＭＡが適用可能になる。図９は戦略３の一例を示す。
【００４５】
３つの戦略のどれも、最初に成功したプリアンブル検出後に、ｅＮＢがＵＥのビームセットが完全であるかを確かめるためにプリアンブル、データ、及び／又はＲＳのいくつかの追加の送信が必要とされる。更に、ビームセットが完全であるかどうか決定するための基準が必要とされる。
【００４６】
一実施形態では、前記基準は追加の送信の総数とすることができる。例えば、５つの追加の送信後に、ｅＮＢはビームセットを完全であるとみなすことができる。プリアンブル送信及び追加の送信中に検出された認定ビームはＵＥのビームセットに含まれる。
【００４７】
別の実施形態では、前記基準は新たな認定ビームが検出された後の送信の数とすることができる。例えば、新たな認定ビームがプリアンブル送信又は追加の送信において検出され、３つの更なる追加の送信後に新たな認定ビームが検出されないとき、ｅＮＢはビームセットを完全であるとみなすことができる。プリアンブル送信及び追加の送信中に検出された認定ビームはＵＥのビームセットに含まれる。
【００４８】
別の実施形態では、前記基準は、最初に成功したプリアンブル検出の送信電力と追加の送信の送信電力との差が閾値を超えるかどうかとすることができる。例えば、最初に成功したプリアンブル検出の送信電力と追加の送信の送信電力との差が２０ｄＢを超えるとき、ｅＮＢはビームセットを完全であるとみなすことができる。プリアンブル送信及び追加の送信中に検出された認定ビームはＵＥのビームセットに含まれる。
【００４９】
別の実施形態では、前記基準は新たに検出されたビームが認定ビームでないときとすることができ、このときｅＮＢはビームセットを完全であるとみなすことができる。プリアンブル送信及び追加の送信中に検出された認定ビームはＵＥのビームセットに含まれる。
【００５０】
別の実施形態では、前記基準は、新たに検出されるビームの品質が所定のレベルより悪いときとすることができ、このときｅＮＢはビームセットを完全であるとみなすことができる。例えば、新たに検出されるビームの品質が最強ビームより２０ｄＢ低いとき、ｅＮＢはビームセットを完全であるとみなすことができる。プリアンブル送信及び追加の送信中に検出された認定ビームはＵＥのビームセットに含まれる。
【００５１】
一般的に、セルがビーム数の制限を有する場合には、追加の送信はセルのすべてのビームがスキャンされるように数回実行する必要があるかもしれない。上記の実施形態で検討した基準は少なくとも１回満足されなければならない。
【００５２】
戦術１及び３では、ＲＡＲの受信後に数回の追加の送信が続く。基地局が認定ビームの全てを検出できるかどうかは追加の送信の電力レベルに依存する。３ＧＰＰ  ＴＳ３６．３２１  Ｖ１２．３．０で検討されている現在の電力制御機構（例えば、プリアンブルに対する電力ランピング又は他の信号に対する送信電力制御（ＴＰＣ）コマンド）によれば、所定の電力（例えば２０ｄＢ高い）を達成するための追加の送信のために若干のレイテンシが導入され、有効でない。
【００５３】
戦術１，２及び３では、数回の追加の送信後に、公称データ送信を実行できるが、電力レベルは必要以上に高くなり得る。例えば、戦略２では、最初に受信されたプリアンブルから導出される電力は公称データ送信に充分であるが、ビームセットを完全にするために数回の電力ランピングが実行され、公称送信電力を再開するために送信電力を低減させるＴＰＣコマンドが数回必要とされる。
【００５４】
戦略１及び３では、本発明の一般概念は、ＲＡＲの受信後に追加の送信に対して追加の電力オフセット又はより大きな電力ステップが考慮される。更に、追加の送信の終了時に、電力は公称レベルに戻る（即ち、追加の電力オフセット／ステップは考慮されない）。戦略２では、本発明の一般概念はＲＡＲの受信時に直ちに電力を減少させることにある。基地局は最初に成功したプリアンブル検出後に何個の追加のプリアンブルを送信するかをＵＥに知らせる。ＵＥはいずれかのビームで検出された最初のプリアンブルの送信の電力から電力を導出する。
【００５５】
一実施形態では、ＵＥはＲＡＲを受信し、追加の電力オフセットを有する追加の送信を送信する。追加の送信の終了時に、追加の電力オフセットが送信電力から減じられる。
【００５６】
別の実施形態では、ＵＥは最初に成功したプリアンブル検出後の追加のプリアンブルの数を含むＲＡＲを受信し、ＵＥはいずれかのビームで検出された最初のプリアンブルの送信の電力から電力を導出する。
【００５７】
別の実施形態では、異なるランダムアクセス手順に対して異なるＴＰＣ（送信電力制御）レンジがＲＡＲに存在する。異なるレンジは基地局で設定することができる。大きなＴＰＣコマンドレンジはファントムセルに適用される。更に、大きなＴＰＣコマンドレンジはビーム検出のためのランダムアクセス手順に適用することができる。
【００５８】
図１０は、一つの例示的な実施形態による基地局の観点からのフローチャート１０００である。ステップ１００５において、基地局はＵＥからの最初のプリアンブル送信をあるビーム上で検出する。ステップ１０１０において、基地局はＵＥと通信するために使用できる他のビームがあるかどうかを検出するために追加の送信を検査する。ステップ１０１５において、基地局は基準が満たされる場合にＵＥのビームセットは完全である（基地局と通信できるビームを含むものである）と見なす。一実施形態では、基地局は、ＵＥのすべての認定ビームが発見されたときＵＥのビームセットは完全であると見なす。
【００５９】
一実施形態では、前記基準は追加の送信の総数に基づくものとする。より具体的には、前記基準は新たな認定ビームが検出された後の追加の送信の数に基づくものとし得る。
【００６０】
代わりに、前記基準は最初のプリアンブルの送信電力と追加の送信の送信電力との電力差に基づくものとしてもよい。前記基準は追加の送信から新たに検出されるビームの品質に基づくものとしてもよい。更に、前記基準は新たに検出されるビームの強度と最強ビームの強度との差が所定値に達するかどうかに基づくものとしてもよい。更に、前記基準は新たに検出されるビームは閾値を超える品質を有するかどうかに基づくものとしてもよい。
【００６１】
図３及び図４に戻り説明すると、基地局の観点からの一実施形態では、装置３００は送信機のメモリ３１０に格納されたプログラムコード３１２を含む。ＣＰＵ３０８はプログラムコード３１２を実行して、(i)ＵＥからの最初のプリアンブルをあるビーム上で検出し、(ii)ＵＥと通信するために使用できる他のビームがあるかどうかを検出するために追加の送信を検査し、(iii) 基準が満たされる場合にＵＥのビームセットは完全である（基地局と通信できるビームを含むものである）と見なすことができる。更に、ＣＰＵ３０８は上述したアクション及びステップ又は本明細書に記載する他のステップのすべてを実行するためにプログラムコード３１２を実行することができる。
【００６２】
図１１は、一つの例示的な実施形態によるＵＥの観点からのフローチャート１１００である。ステップ１１０５において、ＵＥはＲＡ手順中にプリアンブルを送信する。ステップ１１１０において、ＵＥはあるビーム上の送信プリアンブルを検出した基地局からのＲＡＲを受信する。ステップ１１１５において、ＵＥは基地局からのＲＡＲの受信後に数回の追加の送信を実行する。一実施形態では、追加の送信の数は固定又は設定可能にし得る。更に、追加の送信は基地局からのシグナリングにより又は基地局からの別のＲＡＲにより終了させることができる。
【００６３】
図３及び図４に戻り説明すると、ＵＥの観点からの一実施形態では、装置３００は送信機のメモリ３１０に格納されたプログラムコード３１２を含む。ＣＰＵ３０８はプログラムコード３１２を実行して、(i)ＲＡ手順中にプリアンブルを送信し、(ii)あるビーム上の送信プリアンブルを検出した基地局からのＲＡＲを受信し、(iii)基地局からのＲＡＲの受信後に数回の追加の送信を実行することができる。更に、ＣＰＵ３０８は上述したアクション及びステップ又は本明細書に記載する他のステップのすべてを実行するためにプログラムコード３１２を実行することができる。
【００６４】
図１２は、一つの例示的な実施形態によるＵＥの観点からのフローチャート１２００である。ステップ１２０５において、ＵＥはＲＡ手順中に第１のプリアンブルを送信する。ステップ１２１０において、ＵＥはあるビーム上の第１のプリアンブルを検出した基地局からの第１のプリアンブル送信の検出応答であるＲＡＲを受信する。ステップ１２１５において、ＵＥはＲＡＲに応答して第２のプリアンブルを送信し、第２のプリアンブル送信の電力は第１のプリアンブル送信の電力に電力オフセットを加えたものとする。一実施形態では、電力オフセットはランピングステップと相違する。
【００６５】
図３及び図４に戻り説明すると、ＵＥの観点からの一実施形態では、装置３００は送信機のメモリ３１０に格納されたプログラムコード３１２を含む。ＣＰＵ３０８はプログラムコード３１２を実行して、(i)ＲＡ手順中に第１のプリアンブルを送信し、(ii)あるビーム上の第１のプリアンブルを検出した基地局からの第１のプリアンブル送信の検出応答であるＲＡＲを受信し、(iii)ＲＡＲに応答して第２のプリアンブルを送信し、第２のプリアンブル送信の電力は第１のプリアンブル送信の電力に電力補正値を加えたものとする。更に、ＣＰＵ３０８は上述したアクション及びステップ又は本明細書に記載する他のステップのすべてを実行するためにプログラムコード３１２を実行することができる。
【００６６】
図１３は、一つの例示的な実施形態によるＵＥの観点からのフローチャート１３００である。ステップ１３０５において、ＵＥはランダムアクセス手順中に第１のプリアンブルを送信する。ステップ１３１０において、ＵＥはあるビーム上の第１のプリアンブルを検出した基地局からの第１のプリアンブル送信の検出応答であるＲＡＲを受信する。ステップ１３１５において、ＵＥはＲＡＲに続く信号の送信のための送信電力を導出する。一実施形態では、ＵＥはＲＡＲに含まれるランピングステップ情報に基づいて送信電力を導出し、ランピングステップ情報は送信電力を導出するためにはいくつのランピングステップを減らすべきかを示す。
【００６７】
ステップ１３２０において、ＵＥは、電力オフセットが設定される場合、導出した送信電力に電力オフセットを加える。一実施形態では、信号が一定回数送信された場合に、この電力オフセットを導出した送信電力から削減することができる。この電力オフセットは、ＵＥが導出した送信電力を減らすべきという指示を受信する場合に、導出した送信電力から削減することもできる。一実施形態では、電力オフセットはビーム検出又はビーム追跡のために送信に付与することができる。
【００６８】
ステップ１３２５において、ＵＥはＲＡＲ内の２つの異なるＴＣＰ（送信電力制御）コマンドレンジで設定され、設定されたＴＰＣコマンドレンジを適用してＲＡＲの受信に続く信号の送信のための送信電力を導出する。一実施形態では、異なるＴＰＣコマンドレンジはＲＡ手順の種々の実行目的のために設定される。
【００６９】
図３及び図４に戻り説明すると、ＵＥの観点からの一実施形態では、装置３００は送信機のメモリ３１０に格納されたプログラムコード３１２を含む。ＣＰＵ３０８はプログラムコード３１２を実行して、(i)ランダムアクセス手順中に第１のプリアンブルを送信し、(ii)あるビーム上の第１のプリアンブルを検出した基地局からの第１のプリアンブル送信の検出応答であるＲＡＲを受信し、(iii)ＲＡＲに続く信号の送信のための送信電力を導出する。
【００７０】
一実施形態では、ＣＰＵ３０８は更に、電力プリセットを設定する場合には、導出した送信電力に電力プリセットを加えるためにプログラムコード３１２を実行する。ＣＰＵ３０８は、設定されたＴＰＣコマンドレンジを適用してＲＡＲの受信に続く信号の送信のための送信電力を導出するためにプログラムコード３１８を実行することもできる。更に、ＣＰＵ３０８は、上述したアクション及びステップ又は本明細書に記載する他のステップのすべてを実行するためにプログラムコード３１２を実行することができる。
【００７１】
本発明の様々な態様を以上で説明した。本開示の教示は様々な形態に具体化することができ、ここに開示されている具体的な構造も機能も単なる例示である。本開示の教示に基づけば、当業者はここに開示される一つの態様を任意の他の態様と独立に実施することができ、またこれらの態様の２つ以上を様々に組み合わせることができることは認識されよう。例えば、装置又は方法はここに開示される態様のうちの任意の数を用いて実装又は実施することができる。更に、このような装置又は方法はここに開示される態様のうちの一つ以上に加えて他の構造、機能又は構造及び機能を用いて実装又は実施することができる。上記の概念の一部の一例として、ある側面では、同時チャネルはパルス繰り返し周波数に基づいて確立することができる。ある側面では、同時チャネルはパルス位置又はオフセットに基づいて確立することができる。ある側面では、同時チャネルはタイムホッピングシーケンスに基づいて確立することができる。ある側面では、同時チャネルはパルス繰り返し周波数、パルス位置又はオフセット、及びタイムホッピングシーケンスに基づいて確立することができる。
【００７２】
当業者は、情報及び信号は多種多様の技法及び技術のいずれかで表すことができることは理解されよう。例えば、上記の記載を通じて参照されるデータ、命令、コマンド、情報、信号、ビット、シンボル、及びチップは電圧、電流、電磁波、磁場又は粒子、光場又は粒子、又はそれらの任意の組み合わせで表すことができる。
【００７３】
当業者は更に、ここに開示される態様と関連して記載される様々な例示的な論理ブロック、モジュール、プロセッサ、手段、回路、及びアルゴリズムステップは、電子ハードウェア（例えば、ソースコーディング又は他の技術を用いて設計し得るディジタル実装、アナログ実装、又は両者の組み合わせ）、命令を内蔵する様々な形態のプログラム又は設計コード（ここでは便宜上「ソフトウェア」又は「ソフトウェアモジュール」という）、又は両者の組み合わせとして実装できることは理解されよう。このハードウェアとソフトウェアの互換可能性を明確に説明するために、様々な例示的なコンポーネント、ブロック、モジュール、回路及びステップが以上においてそれらの機能を示す言葉で全体的に説明されている。このような機能がハードウェアとして実装されるのかソフトウェアとして実装されるのかは全体システムに課される特定のアプリケーション及び設計制約により決まる。当業者は記載されている機能を特定のアプリケーションごとに種々の方法で実装することができるが、このような実装決定は本発明の範囲を逸脱するものと解釈すべきではない。
【００７４】
更に、ここに開示される特徴と関連して記載されている様々な例示的な論理ブロック、モジュール、及び回路は集積回路（ＩＣ）、アクセス端末、又はアクセスポイント内に実装することができ、またそれらによって実装することができる。このＩＣは、ここに記載される機能を実行するように設計された汎用プロセッサ、ディジタル信号プロセッサ（ＤＳＰ）、特定用途向け集積回路（ＡＳＩＣ）、フィールドプログラムゲートアレイ（ＦＰＧＡ）又は他のプログラマブル論理装置、ディスクリートゲート又はトランジスタ論理回路、ディスクリートハードウェアコンポーネント、電気コンポーネント、光学コンポーネント、機械コンポーネント、又はそれらの任意の組み合わせを備え、ＩＣの内部又は外部又はその両方に存在するコード又は命令を実行することができる。汎用プロセッサはマイクロプロセッサとし得るが、代替例ではプログラムは任意の通常のプロセッサ、コントローラ、マイクロコントローラ、又はステートマシンとすることができる。プロセッサは、コンピュータ装置、例えばＤＳＰとマイクロプロセッサの組み合わせ、複数のマイクロプロセッサ、ＤＳＰコアと連動する一以上のマイクロプロセッサ、又は任意のこのような構成として実装することができる。
【００７５】
開示の任意のプロセスにおけるステップの特定の順序又は序列は例示のための一例に過ぎないことを理解されたい。設計の好みに基づいて、プロセスのステップの順序又は序列は本開示の範囲内において再配列することができることを理解されたい。添付の方法の請求項は様々なステップの要素の例示的な順序を示し、提示の特定の順序又は序列に限定することを意図していない。
【００７６】
ここに開示される特徴と関連して記載されている方法又はアルゴリズムのステップはハードウェア内で、プロセスで実行されるソフトウェアモジュール内で、又は両者の組み合わせ内で具体化することができる。ソフトウェアモジュール（例えば、実行可能な命令及び関連データを含む）及び他のデータはデータメモリ、例えばＲＡＭメモリ、フラッシュメモリ、ＲＯＭメモリ、ＥＰＲＯＭメモリ、ＥＥＰＲＯＭ、レジスタ、ハードディスク、リムーバブルディスク、ＣＤ−ＲＯＭ、又は当該技術分野で知られている任意の他の形態のコンピュータ可読記憶媒体等、に存在させることができる。サンプル記憶媒体は、例えばコンピュータ／プロセッサ（ここでは便宜上「プロセッサ」と呼ぶことができる）のようなマシンに結合することができ、このようなプロセッサが記憶媒体から情報（例えばコード）を読出し、記憶媒体に情報を書き込むことができる。サンプル記憶媒体はプロセッサと一体にすることができる。プロセッサと記憶媒体はＡＳＩＣ内に存在させることができる。ＡＳＩＣはユーザ装置内に存在させることができる。代替例では、プロセッサ及び記憶媒体はユーザ装置内に個別コンピュータとして存在させることができる。更に、いくつかの態様では、任意の適切なコンピュータプログラム製品は開示の特徴の一以上に関するコードを備えるコンピュータ可読媒体を備えることができる。いくつかの態様では、コンピュータプログラム製品は包装材料を備えることができる。
【００７７】
本発明は様々な態様と関連して記述されているが、本発明は更なる変更が可能であることは理解されよう。本願は本発明の原理に従う本発明の任意の変形、使用又は改変をカバーすることを意図しており、このような本発明からの逸脱は本発明が属する分野における周知慣用技術の範囲に入る。
【図２】
2016140068.tif 000003
【図３】
2016140068.tif 000004
【図４】
2016140068.tif 000005
【図５】
2016140068.tif 000006
【図６】
2016140068.tif 000007
【図７】
2016140068.tif 000008
【図８】
2016140068.tif 000009
【図９】
2016140068.tif 000010
【図１０】
2016140068.tif 000011
【図１１】
2016140068.tif 000012
【図１２】
2016140068.tif 000013
【図１３】
2016140068.tif 000014
【図１】
2016140068.tif 000015
【外国語明細書】
2016140068000001.pdf